(57)【要約】【課題】  一般的な編地の靴下に比べて、断熱性、通気性、クッション性、硬直性を向上させることを目的とする。【解決手段】  靴下本体の内面に立体メッシュシートを固着してあることを特徴とする靴下。特に、靴下本体の底部における内面に立体メッシュシートを固着してあることを特徴とする。さらに、靴下本体の底部における編目の細かさは、立体メッシュシートを視認不能な程度であることを特徴とする。【選択図】      図１
2012102441.tif 000002
【特許請求の範囲】
【請求項１】
靴下本体の内面に立体メッシュシートを固着してあることを特徴とする靴下。
【請求項２】
靴下本体の底部における内面に立体メッシュシートを固着してあることを特徴とする請求項１に記載の靴下。
【請求項３】
立体メッシュシートは、靴下本体の底部の内面全域に設けられていることを特徴とする請求項２に記載の靴下。
【請求項４】
靴下本体の底部における編目の細かさは、立体メッシュシートを視認不能な程度であることを特徴とする請求項２又は３に記載の靴下。
【請求項５】
立体メッシュシートの厚みを３ｍｍ〜５ｍｍにしてあることを特徴とする請求項１、２、３又は４に記載の靴下。
【発明の詳細な説明】
【技術分野】
【０００１】
本発明は、機能性を向上させた靴下に関する。
【背景技術】
【０００２】
従来の靴下の中には、その底部を多層構造とし、多層構造の一番内側の層を編地で構成するものが存在する（特許文献１、２）。
【０００３】
また、特許文献２には、靴下の底部において、裏編地を何列も畦状にして表編地に二重編目で編むことによって、多層構造の中間層に細長い空気層を並列して形成した技術が記載されている。
【先行技術文献】
【特許文献】
【０００４】
【特許文献１】実開昭５１−６３８４１号公報
【特許文献２】特開２００１−１６４４０７号公報
【発明の概要】
【発明が解決しようとする課題】
【０００５】
しかしながら、特許文献１、２に記載された靴下の底部は、いずれも、多層構造の一番内側の層、つまり足裏に接する部分の層を、編地で構成してある。このように足裏に接する部分を編地で構成してあると、足裏の全面に編地が面状に触れることになり、靴下の底部の通気性が不十分となる。特に、足の裏に汗をかくと、その汗が底部の対応箇所から編地に吸収され、夏場であれば蒸れるし、冬場であれば足が冷たくなるといったように、不快感に繋がる。
【０００６】
また、編地のみの多層構造の場合、柔軟性に富みすぎており、硬直性が欠如しているため、使用後に脱いだ靴下の底部がヒダ状に折り曲がって丸まり易い。したがって、洗濯の際や干す際に、形態を整えるために靴下を伸ばす必要がある。
【０００７】
また、多層構造の中に空気層がしっかりと形成されているものは、空気層がないものに比べて、断熱性、通気性、クッション性に優れているが、特許文献２に記載された靴下は、裏編地を何列も畦状にして表編地に編んだものであるから厚み方向に変形し易く、これらの中間に形成される空気層は、不完全なものとなり易い。
【０００８】
なお、上述した不具合のうち汗に関するものは、靴下の底部が顕著であるが、これらの不具合は底部だけでなく、その他の部位においても多少は存在する。
【０００９】
本発明は、上記実情を考慮したもので、一般的な編地の靴下に比べて、断熱性、通気性、クッション性、硬直性を向上させることを目的とする。
【課題を解決するための手段】
【００１０】
本発明は、靴下本体の内面に立体メッシュシートを固着してあることを特徴とする。
【００１１】
立体メッシュシートの固着部位は、特定されないが、次のようにすることが望ましい。すなわち、請求項２の発明のように、靴下本体の底部における内面に立体メッシュシートを固着してあることである。
【００１２】
立体メッシュシートは、靴下本体の底部の内面全域のうち局部的に設けられたものでも良いが、次のようにすることが望ましい。すなわち、請求項３の発明のように、立体メッシュシートは、靴下本体の底部の内面全域に設けられていることである。
【００１３】
靴下を履いた際に立体メッシュシートが靴下本体の底部から視認可能な程度に、靴下本体の底部の編目の細かさを設定しても良いが、次のようにすることが望ましい。すなわち、請求項４の発明のように、靴下本体の底部における編目の細かさは、立体メッシュシートを視認不能な程度にすることである。
【００１４】
立体メッシュシートの厚みは特定されないが、次のようにすることが望ましい。すなわち、請求項５の発明のように、立体メッシュシートの厚みを３ｍｍ〜５ｍｍにしてあることである。
【発明の効果】
【００１５】
請求項１に記載の発明によれば、立体メッシュシートが素肌に線接触状に接することから、立体メッシュシートの空隙によって、通気性に優れる。また、立体メッシュシートの外側を靴下本体が覆っていることから、立体メッシュシートの層が空気層となり、断熱性に優れる。しかも、立体メッシュシートの厚み方向の剛性によってクッション性にも優れる。さらに、立体メッシュシートの硬直性によって、靴下を脱いだ際に、靴下の底部が丸まり難くなり、洗濯の際や干す際に、靴下を伸ばす手間が簡素化できる。
【００１６】
また、請求項２に記載の発明によれば、立体メッシュシートが靴下本体の底部の生地に設けられていることから、立体メッシュシートが足裏に接する部分においては、靴下本体の底部が足裏に触れず、通気性が確保されており、快適である。
【００１７】
また、請求項３に記載の発明によれば、立体メッシュシートが靴下本体の底部の内面全域に設けられていることから、靴下本体の底部が足裏に触れることがなく、それ故足裏がさらっとしており、快適である。
【００１８】
また、請求項４に記載の発明によれば、立体メッシュシートが他人からは見えないので、外観も非常に良い。
【００１９】
また、請求項５に記載の発明によれば、立体メッシュシートの厚みを３ｍｍ〜５ｍｍにしてあるので、上記各種の特性が十分に得られつつも全体としての厚みを薄くでき、自然な装着感を得ることができる。
【図面の簡単な説明】
【００２０】
【図１】本発明の靴下を示す斜視図である。
【図２】立体メッシュシートを説明する斜視図である。
【図３】靴下の製造過程を示す分解斜視図である。
【発明を実施するための形態】
【００２１】
図１は、本発明の靴下１０を示すもので、説明の便宜上、靴下本体１１の底部を部分的に切り欠いて、内部の立体メッシュシート１２を明示している。靴下１０は、靴下本体１１の底部の内面全域に、同形状の立体メッシュシート１２を縫着したものである。
【００２２】
靴下本体１１は、周知の布地（編地）から構成されている。靴下本体１１の底部における編目の細かさは、内部の立体メッシュシート１２が外側からは見えない程度である。
【００２３】
立体メッシュシート１２は、合成樹脂製であって、靴下本体１１の編地よりも硬直性（形態安定性）があるだけでなく、折り曲げ可能で且つ足裏に沿う程度の柔軟性や、クッション性（弾力性）、又元の形状に戻る復元性をも併せ持つものである。また、立体メッシュシート１２は、ハニカム構造であって、図２に示すように亀甲状の空隙１３が規則的に形成された同形状の表地１４と裏地１５との間に起立繊維１６を介在したものである。表地１４と裏地１５の間の空気で通気性、断熱性を得る。起立繊維１６はその剛性によってクッション性を得るもので、弓状に湾曲しており、表地１４と裏地１５の間に多数本配置してある。また、立体メッシュシート１２は、断熱性や通気性を得るには厚い方が望ましいが、あまりに厚いと装着感を損なう。かとって、薄すぎれば、これら上記各種の特性が得られにくい。従って、３ｍｍ以上から５ｍｍ以下にすることが望ましい。また、立体メッシュシート１２の空隙１３は当然であるが、靴下本体１１の編目の隙間よりも大きくする。立体メッシュシート１２の具体例としては、旭化成せんい株式会社の商品名ＦＵＳＩＯＮ（登録商標）が挙げられる。この立体メッシュシート１２の周縁部には、帯状の縁布１７が表裏面を囲むようにして縫着されている。
【００２４】
本発明の靴下１０の製造は、以下の手順で行われる。図３に示すように、（１）靴下本体１１を裏表逆にして、靴下本体１１の内面を露出させる。（２）靴下本体１１の底部に立体メッシュシート１２をあてる。（３）立体メッシュシート１２の周縁部の縁布１７と、靴下本体１１の底部の周縁部を縫着する。以上である。
【００２５】
このようにして製造した靴下１０は、表裏を正した上で、足首の方から見ると、底部が立体メッシュシート１２の硬直性によって、ほぼ足型通りの形状をしており、脚部から、はき口部に向かっては、編地の柔軟性によって左右に重なるようになる。このような、硬直性があることから、靴下１０を脱いだ際に底部が足型通りの形状に戻り易い。
【００２６】
上述した靴下１０は、通気性、断熱性、クッション性に優れたものである。また、洗濯後に干した場合、立体メッシュシート１２の空隙１３によって、靴下本体１１の甲部と底部との間に空気層ができることになり、乾燥時間が短縮することが想定される。
【００２７】
本発明は上記実施形態に限定されるものではない。例えば、立体メッシュシート１２を固着する部位は、靴下本体１１の底部だけに限らず、靴下本体１１の脚部や、甲部などであっても良い。これらの部位に立体メッシュシート１２を固着した場合にでも、断熱効果、通気性、クッション性が向上する。また、立体メッシュシート１２は、靴下本体１１の内面に固着してあるが、商品販売時には立体メッシュシート１２を視認できる方が、その機能を購買者に訴え易い。そこで、商品販売時には、靴下１０を裏表逆にして立体メッシュシート１２を視認できる状態とすることが望ましい。
【００２８】
また、靴下の形状は、図示した例のような、ひざと足首の間に達するものに限らず、足首またはそれ以下のものであっても良いし、ひざ上に達するもの（パンティストッキングも含む。）であっても良い。
【符号の説明】
【００２９】
１０靴下                              １１靴下本体
１２立体メッシュシート                １３空隙
１４表地                              １５裏地
１６起立繊維                          １７縁布
【図１】
2012102441.tif 000003
【図２】
2012102441.tif 000004
【図３】
2012102441.tif 000005